(57)【特許請求の範囲】
【請求項１】
情報信号により搬送波を変調する装置であって、
直列に接続された複数の変調装置であって、直列に接続された該複数の変調装置の各々は搬送波入力と変調信号入力と変調搬送波出力とを含み、直列に接続された該複数の変調装置のうちの１番目の変調装置の搬送波入力に搬送波が入力され、各変調装置の変調搬送波出力から出力される変調搬送波が後続の変調装置の搬送波入力に入力される直列に接続された該複数の変調装置と、
情報信号に応答して複数の直列に接続された変調装置の変調信号入力に印加される変調信号を生成するエンコーダとを含み、該変調信号の積が該情報信号を形成し、
複数の直列に接続された変調装置の各変調装置に印加される変調信号が、それぞれの変調装置の搬送波入力で受信される変調搬送波出力を変更して、複数の直列に接続された変調装置の最後の変調装置において搬送波抑圧情報信号変調出力を生成する装置。
【請求項２】
請求項１に記載の搬送波を変調する装置において、
複数の直列に接続された変調装置の１つに印加される変調信号が、複数の直列に接続された変調装置の先行する変調装置によって生成される変調成分を実質的に除去する変調成分を複数の直列に接続された変調装置の１つの変調装置出力内に生成し、複数の直列に接続された変調装置のいずれかに印加される変調信号も情報信号を含む搬送波を変調する装置。
【請求項３】
請求項２に記載の搬送波を変調する装置において、
複数の直列に接続された変調装置が第１及び第２の変調装置を含み、第１及び第２の変調装置の一方に印加される変調信号が、第１及び第２の変調装置の他方に印加される変調信号の逆数である成分を含む搬送波を変調する装置。
【請求項４】
請求項３に記載の搬送波を変調する装置において、情報信号がアナログ信号である搬送波を変調する装置。
【請求項５】
請求項３に記載の搬送波を変調する装置において、情報信号がＱＡＭ信号である搬送波を変調する装置。
【請求項６】
請求項３に記載の搬送波を変調する装置において、第１の変調装置に印加される変調信号が擬似乱数信号である搬送波を変調する装置。
【請求項７】
請求項３に記載の搬送波を変調する装置において、第１の変調装置に印加される変調信号が周期的に変動する信号である搬送波を変調する装置。
【請求項８】
請求項１に記載の搬送波を変調する装置において、
複数の直列に接続された変調装置が２相シフト・キーイングを実行する第１及び第２の変調装置を含み、情報信号内の後続の「１」シンボルに関して、第１及び第２の変調装置に印加される変調信号（Ｑ１、Ｑ２）が（１、−１）と（−１、１）との間で交互に切り替わり、情報信号内の後続の「０」シンボルに関して第１及び第２の変調装置に印加される変調信号が（−１、−１）と（１、１）との間で交互に切り替わる搬送波を変調する装置。
【請求項９】
請求項１に記載の搬送波を変調する装置において、
複数の直列に接続された変調装置が２相シフト・キーイングを実行する第１及び第２の変調装置を含み、情報信号内の後続の「１」シンボルに関して、第１及び第２の変調装置に印加される変調信号（Ｑ１、Ｑ２）が（１、−１）と（−１、１）との間でランダムに変化し、情報信号内の後続の「０」シンボルに関して第１及び第２の変調装置に印加される変調信号が（−１、−１）と（１、１）との間でランダムに変化する搬送波を変調する装置。
【請求項１０】
請求項１に記載の搬送波を変調する装置において、
複数の直列に接続された変調装置が直交位相シフト・キーイングを実行する第１及び第２の変調装置を含み、情報信号内の後続のＩ＝−１、Ｑ＝−１に関して第１及び第２の変調装置に印加される変調信号Ｉ、Ｑが（１、１）（−１、−１）、（−１、−１）（１、１）、（１、−１）（−１、１）、（−１、−１）（１、１）と循環し、情報信号内の後続のＩ＝−１、Ｑ＝１に関して第１及び第２の変調装置に印加される変調信号Ｉ、Ｑが（−１、１）（１、１）、（−１、−１）（１、−１）、（１、１）（−１、１）、（１、−１）（−１、−１）と循環し、情報信号内の後続のＩ＝１、Ｑ＝−１に関して第１及び第２の変調装置に印加される変調信号Ｉ、Ｑが（１、１）（１、−１）、（１、−１）（１、１）、（−１、１）（−１、−１）、（−１、−１）（−１、１）と循環し、情報信号内の後続のＩ＝１、Ｑ＝１に関して第１及び第２の変調装置に印加される変調信号Ｉ、Ｑが（１、１）（１、１）、（−１、１）（１、１）、（−１、１）、（−１、１）、（１、−１）（１、−１）と循環する搬送波を変調する装置。
【請求項１１】
請求項１に記載の搬送波を変調する装置において、
複数の直列に接続された変調装置が直交位相シフト・キーイングを実行する第１及び第２の変調装置を含み、情報信号内の後続のＩ＝−１、Ｑ＝−１に関して第１及び第２の変調装置に印加される変調信号Ｉ、Ｑが（１、１）（−１、−１）、（−１、−１）（１、１）、（１、−１）（−１、１）、（−１、−１）（１、１）からランダムに選択され、情報信号内の後続のＩ＝−１、Ｑ＝１に関して第１及び第２の変調装置に印加される変調信号Ｉ、Ｑが（−１、１）（１、１）、（−１、−１）（１、−１）、（１、１）（−１、１）、（１、−１）（−１、−１）からランダムに選択され、情報信号内の後続のＩ＝１、Ｑ＝−１に関して第１及び第２の変調装置に印加される変調信号Ｉ、Ｑが（１、１）（１、−１）、（１、−１）（１、１）、（−１、１）（−１、−１）、（−１、−１）（−１、１）からランダムに選択され、情報信号内の後続のＩ＝１、Ｑ＝１に関して第１及び第２の変調装置に印加される変調信号Ｉ、Ｑが（１、１）（１、１）、（−１、１）（１、１）、（−１、１）、（−１、１）、（１、−１）（１、−１）からランダムに選択される搬送波を変調する装置。
【請求項１２】
請求項１に記載の搬送波を変調する装置において、
複数の直列に接続された変調装置が直交位相シフト・キーイングを実行する第１及び第２の変調装置を含み、情報信号内の後続のＩ＝−１、Ｑ＝−１に関して第１及び第２の変調装置に印加される変調信号Ｉ、Ｑが（１、１）（−１、−１）、（−１、−１）（１、１）、（１、−１）（−１、１）、（−１、−１）（１、１）と周期的に変化し、情報信号内の後続のＩ＝−１、Ｑ＝１に関して第１及び第２の変調装置に印加される変調信号Ｉ、Ｑが（−１、１）（１、１）、（−１、−１）（１、−１）、（１、１）（−１、１）、（１、−１）（−１、−１）と周期的に変化し、情報信号内の後続のＩ＝１、Ｑ＝−１に関して第１及び第２の変調装置に印加される変調信号Ｉ、Ｑが（１、１）（１、−１）、（１、−１）（１、１）、（−１、１）（−１、−１）、（−１、−１）（−１、１）と周期的に変化し、情報信号内の後続のＩ＝１、Ｑ＝１に関して第１及び第２の変調装置に印加される変調信号Ｉ、Ｑが（１、１）（１、１）、（−１、１）（１、１）、（−１、１）、（−１、１）、（１、−１）（１、−１）と周期的に変化する搬送波を変調する装置。
【請求項１３】
情報信号により搬送波を変調する方法であって、
変調信号の積が該情報信号を形成するように、情報信号に応答して複数の変調信号を生成するステップと、
各々が搬送波入力と変調搬送波出力とを含む複数の直列に接続された変調装置の変調信号入力に変調信号を印加するステップとを含み、各変調装置の変調搬送波出力が後続の変調装置の搬送波入力に結合され、
直列に接続された変調装置の各変調装置に印加される変調信号が、それぞれの変調装置の搬送波入力で変調搬送波出力を変更して、直列に接続された変調装置の最後の変調装置において搬送波抑圧情報信号変調出力を生成する方法。
【請求項１４】
請求項１３に記載の情報信号により搬送波を変調する方法において、
複数の直列に接続された変調装置の１つに印加される変調信号が、複数の直列に接続された変調装置の先行する変調装置によって生成される変調成分を実質的に除去する変調成分を複数の直列に接続された変調装置の１つの変調装置出力内に生成し、複数の直列に接続された変調装置のいずれかに印加される変調信号も情報信号を含む情報信号により搬送波を変調する方法。
【請求項１５】
請求項１４に記載の情報信号により搬送波を変調する方法において、
複数の直列に接続された変調装置が第１及び第２の変調装置を含み、第１及び第２の変調装置の一方に印加される変調信号が、第１及び第２の変調装置の他方に印加される変調信号の逆数である成分を含む情報信号により搬送波を変調する方法。
【請求項１６】
請求項１５に記載の情報信号により搬送波を変調する方法において、情報信号がアナログ信号である情報信号により搬送波を変調する方法。
【請求項１７】
請求項１４に記載の情報信号により搬送波を変調する方法において、情報信号がＱＡＭ信号である情報信号により搬送波を変調する方法。
【請求項１８】
請求項１４に記載の情報信号により搬送波を変調する方法において、第１の変調装置に印加される変調信号が擬似乱数信号である情報信号により搬送波を変調する方法。
【請求項１９】
請求項１４に記載の情報信号により搬送波を変調する方法において、第１の変調装置に印加される変調信号が周期的に変動する信号である情報信号により搬送波を変調する方法。
【請求項２０】
請求項１３に記載の情報信号により搬送波を変調する方法において、
複数の直列に接続された変調装置が２相シフト・キーイングを実行する第１及び第２の変調装置を含み、情報信号内の後続の「１」シンボルに関して、第１及び第２の変調装置に印加される変調信号（Ｑ１、Ｑ２）が（１、−１）と（−１、１）との間で交互に切り替わり、情報信号内の後続の「０」シンボルに関して第１及び第２の変調装置に印加される変調信号が（−１、−１）と（１、１）との間で交互に切り替わる情報信号により搬送波を変調する方法。
【請求項２１】
請求項１３に記載の情報信号により搬送波を変調する方法において、
複数の直列に接続された変調装置が２相シフト・キーイングを実行する第１及び第２の変調装置を含み、情報信号内の後続の「１」シンボルに関して、第１及び第２の変調装置に印加される変調信号（Ｑ１、Ｑ２）が（１、−１）と（−１、１）との間でランダムに変化し、情報信号内の後続の「０」シンボルに関して第１及び第２の変調装置に印加される変調信号が（−１、−１）と（１、１）との間でランダムに変化する情報信号により搬送波を変調する方法。
【請求項２２】
請求項１３に記載の情報信号により搬送波を変調する方法において、
複数の直列に接続された変調装置が直交位相シフト・キーイングを実行する第１及び第２の変調装置を含み、情報信号内の後続のＩ＝−１、Ｑ＝−１に関して第１及び第２の変調装置に印加される変調信号Ｉ、Ｑが（１、１）（−１、−１）、（−１、−１）（１、１）、（１、−１）（−１、１）、（−１、−１）（１、１）と循環し、情報信号内の後続のＩ＝−１、Ｑ＝１に関して第１及び第２の変調装置に印加される変調信号Ｉ、Ｑが（−１、１）（１、１）、（−１、−１）（１、−１）、（１、１）（−１、１）、（１、−１）（−１、−１）と循環し、情報信号内の後続のＩ＝１、Ｑ＝−１に関して第１及び第２の変調装置に印加される変調信号Ｉ、Ｑが（１、１）（１、−１）、（１、−１）（１、１）、（−１、１）（−１、−１）、（−１、−１）（−１、１）と循環し、情報信号内の後続のＩ＝１、Ｑ＝１に関して第１及び第２の変調装置に印加される変調信号Ｉ、Ｑが（１、１）（１、１）、（−１、１）（１、１）、（−１、１）、（−１、１）、（１、−１）（１、−１）と循環する情報信号により搬送波を変調する方法。
【請求項２３】
請求項１３に記載の情報信号により搬送波を変調する方法において、
複数の直列に接続された変調装置が直交位相シフト・キーイングを実行する第１及び第２の変調装置を含み、情報信号内の後続のＩ＝−１、Ｑ＝−１に関して第１及び第２の変調装置に印加される変調信号Ｉ、Ｑが（１、１）（−１、−１）、（−１、−１）（１、１）、（１、−１）（−１、１）、（−１、−１）（１、１）からランダムに選択され、情報信号内の後続のＩ＝−１、Ｑ＝１に関して第１及び第２の変調装置に印加される変調信号Ｉ、Ｑが（−１、１）（１、１）、（−１、−１）（１、−１）、（１、１）（−１、１）、（１、−１）（−１、−１）からランダムに選択され、情報信号内の後続のＩ＝１、Ｑ＝−１に関して第１及び第２の変調装置に印加される変調信号Ｉ、Ｑが（１、１）（１、−１）、（１、−１）（１、１）、（−１、１）（−１、−１）、（−１、−１）（−１、１）からランダムに選択され、情報信号内の後続のＩ＝１、Ｑ＝１に関して第１及び第２の変調装置に印加される変調信号Ｉ、Ｑが（１、１）（１、１）、（−１、１）（１、１）、（−１、１）、（−１、１）、（１、−１）（１、−１）からランダムに選択される情報信号により搬送波を変調する方法。
【請求項２４】
請求項１３に記載の情報信号により搬送波を変調する方法において、
複数の直列に接続された変調装置が直交位相シフト・キーイングを実行する第１及び第２の変調装置を含み、情報信号内の後続のＩ＝−１、Ｑ＝−１に関して第１及び第２の変調装置に印加される変調信号Ｉ、Ｑが（１、１）（−１、−１）、（−１、−１）（１、１）、（１、−１）（−１、１）、（−１、−１）（１、１）と周期的に変化し、情報信号内の後続のＩ＝−１、Ｑ＝１に関して第１及び第２の変調装置に印加される変調信号Ｉ、Ｑが（−１、１）（１、１）、（−１、−１）（１、−１）、（１、１）（−１、１）、（１、−１）（−１、−１）と周期的に変化し、情報信号内の後続のＩ＝１、Ｑ＝−１に関して第１及び第２の変調装置に印加される変調信号Ｉ、Ｑが（１、１）（１、−１）、（１、−１）（１、１）、（−１、１）（−１、−１）、（−１、−１）（−１、１）と周期的に変化し、情報信号内の後続のＩ＝１、Ｑ＝１に関して第１及び第２の変調装置に印加される変調信号Ｉ、Ｑが（１、１）（１、１）、（−１、１）（１、１）、（−１、１）、（−１、１）、（１、−１）（１、−１）と周期的に変化する情報信号により搬送波を変調する方法。
【請求項２５】
各々が搬送波入力と、変調搬送波出力と、変調信号入力とを含む複数の直列に接続された搬送波抑圧変調装置を有する情報信号変調装置のエンコーダであって、搬送波が第１の変調装置の搬送波入力に印加され、各変調装置の変調搬送波出力が後続の変調装置の搬送波入力に結合され、
情報信号に応答して複数の変調信号を形成する信号形成装置と、
各々が少なくとも１つの変調信号を直列に接続された変調装置の各々の変調信号入力に結合する複数の結合器とを含み、
直列に接続された変調装置に同時に印加される変調信号の積が情報信号を形成し、該直列に接続された複数の変調装置のうちの最後の変調装置が搬送波抑圧情報信号変調出力を生成するエンコーダ。
【請求項２６】
請求項２５に記載の情報信号変調装置のエンコーダにおいて、
複数の直列に接続された変調装置が２相シフト・キーイングを実行する第１及び第２の変調装置を含み、情報信号内の後続の「１」シンボルに関して、第１及び第２の変調装置に印加される変調信号（Ｑ１、Ｑ２）が（１、−１）と（−１、１）との間で交互に切り替わり、情報信号内の後続の「０」シンボルに関して第１及び第２の変調装置に印加される変調信号が（−１、−１）と（１、１）との間で交互に切り替わる情報信号変調装置のエンコーダ。
【請求項２７】
請求項２５に記載の情報信号変調装置のエンコーダにおいて、
複数の直列に接続された変調装置が２相シフト・キーイングを実行する第１及び第２の変調装置を含み、情報信号内の後続の「１」シンボルに関して、第１及び第２の変調装置に印加される変調信号（Ｑ１、Ｑ２）が（１、−１）と（−１、１）との間でランダムに変化し、情報信号内の後続の「０」シンボルに関して第１及び第２の変調装置に印加される変調信号が（−１、−１）と（１、１）との間でランダムに変化する情報信号変調装置のエンコーダ。
【請求項２８】
請求項２５に記載の情報信号変調装置のエンコーダにおいて、
複数の直列に接続された変調装置が直交位相シフト・キーイングを実行する第１及び第２の変調装置を含み、情報信号内の後続のＩ＝−１、Ｑ＝−１に関して第１及び第２の変調装置に印加される変調信号Ｉ、Ｑが（１、１）（−１、−１）、（−１、−１）（１、１）、（１、−１）（−１、１）、（−１、−１）（１、１）と循環し、情報信号内の後続のＩ＝−１、Ｑ＝１に関して第１及び第２の変調装置に印加される変調信号Ｉ、Ｑが（−１、１）（１、１）、（−１、−１）（１、−１）、（１、１）（−１、１）、（１、−１）（−１、−１）と循環し、情報信号内の後続のＩ＝１、Ｑ＝−１に関して第１及び第２の変調装置に印加される変調信号Ｉ、Ｑが（１、１）（１、−１）、（１、−１）（１、１）、（−１、１）（−１、−１）、（−１、−１）（−１、１）と循環し、情報信号内の後続のＩ＝１、Ｑ＝１に関して第１及び第２の変調装置に印加される変調信号Ｉ、Ｑが（１、１）（１、１）、（−１、１）（１、１）、（−１、１）、（−１、１）、（１、−１）（１、−１）と循環する情報信号変調装置のエンコーダ。
【請求項２９】
請求項２５に記載の情報信号変調装置のエンコーダにおいて、
複数の直列に接続された変調装置が直交位相シフト・キーイングを実行する第１及び第２の変調装置を含み、情報信号内の後続のＩ＝−１、Ｑ＝−１に関して第１及び第２の変調装置に印加される変調信号Ｉ、Ｑが（１、１）（−１、−１）、（−１、−１）（１、１）、（１、−１）（−１、１）、（−１、−１）（１、１）からランダムに選択され、情報信号内の後続のＩ＝−１、Ｑ＝１に関して第１及び第２の変調装置に印加される変調信号Ｉ、Ｑが（−１、１）（１、１）、（−１、−１）（１、−１）、（１、１）（−１、１）、（１、−１）（−１、−１）からランダムに選択され、情報信号内の後続のＩ＝１、Ｑ＝−１に関して第１及び第２の変調装置に印加される変調信号Ｉ、Ｑが（１、１）（１、−１）、（１、−１）（１、１）、（−１、１）（−１、−１）、（−１、−１）（−１、１）からランダムに選択され、情報信号内の後続のＩ＝１、Ｑ＝１に関して第１及び第２の変調装置に印加される変調信号Ｉ、Ｑが（１、１）（１、１）、（−１、１）（１、１）、（−１、１）、（−１、１）、（１、−１）（１、−１）からランダムに選択される情報信号変調装置のエンコーダ。
【請求項３０】
請求項２５に記載の情報信号変調装置のエンコーダにおいて、
複数の直列に接続された変調装置が直交位相シフト・キーイングを実行する第１及び第２の変調装置を含み、情報信号内の後続のＩ＝−１、Ｑ＝−１に関して第１及び第２の変調装置に印加される変調信号Ｉ、Ｑが（１、１）（−１、−１）、（−１、−１）（１、１）、（１、−１）（−１、１）、（−１、−１）（１、１）と周期的に変化し、情報信号内の後続のＩ＝−１、Ｑ＝１に関して第１及び第２の変調装置に印加される変調信号Ｉ、Ｑが（−１、１）（１、１）、（−１、−１）（１、−１）、（１、１）（−１、１）、（１、−１）（−１、−１）と周期的に変化し、情報信号内の後続のＩ＝１、Ｑ＝−１に関して第１及び第２の変調装置に印加される変調信号Ｉ、Ｑが（１、１）（１、−１）、（１、−１）（１、１）、（−１、１）（−１、−１）、（−１、−１）（−１、１）と周期的に変化し、情報信号内の後続のＩ＝１、Ｑ＝１に関して第１及び第２の変調装置に印加される変調信号Ｉ、Ｑが（１、１）（１、１）、（−１、１）（１、１）、（−１、１）、（−１、１）、（１、−１）（１、−１）と周期的に変化する情報信号変調装置のエンコーダ。
【請求項３１】
情報信号により搬送波を変調する装置であって、
入力信号を変調信号で変調する複数の直列に接続された手段であって、各々の変調手段が搬送波入力と、変調信号入力と変調搬送波出力とを含み、搬送波が複数の直列に接続された変調手段の第１の変調手段の搬送波入力に結合され、各変調手段の変調搬送波出力が後続の変調手段の搬送波入力に結合された変調手段と、
情報信号に応答して複数の変調手段の変調信号入力に印加される変調信号を生成する手段とを含み、該変調信号の積が該情報信号を形成し、
直列に接続された変調手段の各変調手段に印加される変調信号が、それぞれの変調手段の搬送波入力で受信される変調搬送波出力を変更して、直列に接続された変調手段の最後の変調手段において搬送波抑圧情報信号変調出力を生成する装置。
【請求項３２】
請求項３１に記載の搬送波を変調する装置において、
複数の直列に接続された変調手段の１つに印加される変調信号が、複数の直列に接続された変調手段の先行する変調手段によって生成される変調成分を実質的に除去する変調成分を複数の直列に接続された変調手段の１つの変調手段出力内に生成し、複数の直列に接続された変調手段のいずれかに印加される変調信号も情報信号を含む搬送波を変調する装置。
【請求項３３】
請求項３２に記載の搬送波を変調する装置において、
複数の直列に接続された変調手段が第１及び第２の変調手段を含み、第１及び第２の変調手段の一方に印加される変調信号が、第１及び第２の変調手段の他方に印加される変調信号の逆数である成分を含む搬送波を変調する装置。
【請求項３４】
請求項３２に記載の搬送波を変調する装置において、情報信号がアナログ信号である搬送波を変調する装置。
【請求項３５】
請求項３２に記載の搬送波を変調する装置において、情報信号がＱＡＭ信号である搬送波を変調する装置。
【請求項３６】
請求項３２に記載の搬送波を変調する装置において、第１の変調手段に印加される変調信号が擬似乱数信号である搬送波を変調する装置。
【請求項３７】
請求項３２に記載の搬送波を変調する装置において、第１の変調手段に印加される変調信号が周期的に変動する信号である搬送波を変調する装置。
【請求項３８】
請求項３１に記載の搬送波を変調する装置において、
複数の直列に接続された変調手段が２相シフト・キーイングを実行する第１及び第２の変調手段を含み、情報信号内の後続の「１」シンボルに関して、第１及び第２の変調手段（Ｑ１、Ｑ２）に印加される変調信号が（１、−１）と（−１、１）との間で交互に切り替わり、情報信号内の後続の「０」シンボルに関して第１及び第２の変調手段に印加される変調信号が（−１、−１）と（１、１）との間で交互に切り替わる搬送波を変調する装置。
【請求項３９】
請求項３１に記載の搬送波を変調する装置において、
複数の直列に接続された変調手段が２相シフト・キーイングを実行する第１及び第２の変調手段を含み、情報信号内の後続の「１」シンボルに関して、第１及び第２の変調手段（Ｑ１、Ｑ２）に印加される変調信号が（１、−１）と（−１、１）との間でランダムに変化し、情報信号内の後続の「０」シンボルに関して第１及び第２の変調手段に印加される変調信号が（−１、−１）と（１、１）との間でランダムに変化する搬送波を変調する装置。
【請求項４０】
請求項３１に記載の搬送波を変調する装置において、
複数の直列に接続された変調手段が直交位相シフト・キーイングを実行する第１及び第２の変調手段を含み、情報信号内の後続のＩ＝−１、Ｑ＝−１に関して第１及び第２の変調手段に印加される変調信号Ｉ、Ｑが（１、１）（−１、−１）、（−１、−１）（１、１）、（１、−１）（−１、１）、（−１、−１）（１、１）と循環し、情報信号内の後続のＩ＝−１、Ｑ＝１に関して第１及び第２の変調手段に印加される変調信号Ｉ、Ｑが（−１、１）（１、１）、（−１、−１）（１、−１）、（１、１）（−１、１）、（１、−１）（−１、−１）と循環し、情報信号内の後続のＩ＝１、Ｑ＝−１に関して第１及び第２の変調手段に印加される変調信号Ｉ、Ｑが（１、１）（１、−１）、（１、−１）（１、１）、（−１、１）（−１、−１）、（−１、−１）（−１、１）と循環し、情報信号内の後続のＩ＝１、Ｑ＝１に関して第１及び第２の変調手段に印加される変調信号Ｉ、Ｑが（１、１）（１、１）、（−１、１）（１、１）、（−１、１）、（−１、１）、（１、−１）（１、−１）と循環する搬送波を変調する装置。
【請求項４１】
請求項３１に記載の搬送波を変調する装置において、
複数の直列に接続された変調手段が直交位相シフト・キーイングを実行する第１及び第２の変調手段を含み、情報信号内の後続のＩ＝−１、Ｑ＝−１に関して第１及び第２の変調手段に印加される変調信号Ｉ、Ｑが（１、１）（−１、−１）、（−１、−１）（１、１）、（１、−１）（−１、１）、（−１、−１）（１、１）からランダムに選択され、情報信号内の後続のＩ＝−１、Ｑ＝１に関して第１及び第２の変調手段に印加される変調信号Ｉ、Ｑが（−１、１）（１、１）、（−１、−１）（１、−１）、（１、１）（−１、１）、（１、−１）（−１、−１）からランダムに選択され、情報信号内の後続のＩ＝１、Ｑ＝−１に関して第１及び第２の変調手段に印加される変調信号Ｉ、Ｑが（１、１）（１、−１）、（１、−１）（１、１）、（−１、１）（−１、−１）、（−１、−１）（−１、１）からランダムに選択され、情報信号内の後続のＩ＝１、Ｑ＝１に関して第１及び第２の変調手段に印加される変調信号Ｉ、Ｑが（１、１）（１、１）、（−１、１）（１、１）、（−１、１）、（−１、１）、（１、−１）（１、−１）からランダムに選択される搬送波を変調する装置。
【請求項４２】
請求項３１に記載の搬送波を変調する装置において、
複数の直列に接続された変調手段が直交位相シフト・キーイングを実行する第１及び第２の変調手段を含み、情報信号内の後続のＩ＝−１、Ｑ＝−１に関して第１及び第２の変調手段に印加される変調信号Ｉ、Ｑが（１、１）（−１、−１）、（−１、−１）（１、１）、（１、−１）（−１、１）、（−１、−１）（１、１）と周期的に変化し、情報信号内の後続のＩ＝−１、Ｑ＝１に関して第１及び第２の変調手段に印加される変調信号Ｉ、Ｑが（−１、１）（１、１）、（−１、−１）（１、−１）、（１、１）（−１、１）、（１、−１）（−１、−１）と周期的に変化し、情報信号内の後続のＩ＝１、Ｑ＝−１に関して第１及び第２の変調手段に印加される変調信号Ｉ、Ｑが（１、１）（１、−１）、（１、−１）（１、１）、（−１、１）（−１、−１）、（−１、−１）（−１、１）と周期的に変化し、情報信号内の後続のＩ＝１、Ｑ＝１に関して第１及び第２の変調手段に印加される変調信号Ｉ、Ｑが（１、１）（１、１）、（−１、１）（１、１）、（−１、１）、（−１、１）、（１、−１）（１、−１）と周期的に変化する搬送波を変調する装置。
【発明の詳細な説明】
【技術分野】
【０００１】
本発明は、変調システム、より詳細には、搬送波が抑圧される変調装置に関する。
【背景技術】
【０００２】
多くのタイプの変調伝送システムでは、情報信号によって変調された搬送波が伝送媒体に適用される。情報信号はアナログ信号でもディジタル信号でもよく、電気信号でも光信号でもよい。被変調信号内の電力は搬送波及び変調成分内に分散される。通信に使用される帯域が混み合う衛星その他の通信システムでは、個々のチャネルの送信電力は制限され、チャネル間干渉を防止する。情報伝送を阻害することなくチャネル電力を低減するために、送信信号の搬送波成分を抑圧することがよく知られている。そのような搬送波抑圧は、規制されたスペクトラム密度要件に合致することが困難なスペクトラム拡散システム、及び上部側波帯の形態で出力するように信号処理が行われるＷｅａｖｅｒ復調装置で既存の狭帯域サービスに広帯域周波数割り当てを行う際に重要である。
【０００３】
搬送波抑圧は、フィルタを使用し、変調装置パラメータを正確に調整し、Ｔｉｍｏｔｈｙ  Ｐ．Ｈｕｌｉｃｋに１９９５年９月１２日に発行された米国特許第５，４５０，０４４号またはＭａｒｋ  Ｊ．Ｄａｐｐｅｒに１９８８年５月３１日に発行された米国特許第４，７４８，６４１号に記載されている平衡型変調装置を用いることで実行されてきた。Ｄａｐｐｅｒの特許では、Ｉミクサ内でＢＰＳＫ信号のＩ（同相）変調成分がＲＦ搬送波源と混合され、別のミクサで、Ｑ（直角位相）変調成分が９０度移相されたＲＦ搬送波と混合され、各ミクサの出力が和回路網に総計される２相位相シフト・キーイング型ＢＰＳＫ変調装置が開示される。次いで、和回路網の出力は各ミクサの動作特性と変調信号の振幅及び位相の平衡に従って抑圧された搬送波を提供する。ただし、フィルタリングされた平衡変調システムの搬送波抑圧の程度は、和回路網の搬送波を打ち消す送信機内の動作特性の正確な調整に依存する。ただし、そのような正確な調整は、温度、経年変化及び放射効果などの環境条件が変化する以上、達成し、維持することが困難である。
【０００４】
２００４年２月３日にＱｉｎ  Ｚｈａｎｇに発行された米国特許第６，６８７，３１１号で開示された別のＱＡＭ送信機の搬送波抑圧構成では、モニタ・デバイスがＱＡＭ成分を含む出力ＲＦ信号内の位相及び振幅エラーをモニタする。イコライザは、ＱＡＭ信号のＩ及びＱ成分の位相及び振幅を等化するアナログ等化信号を生成する。そのような帰還構成は正確な変調装置構成なしに搬送波抑圧を提供するには有効であるが、複雑性とコストとが大幅に増加する。この帰還構成はまた電源投入から満足がいくレベルの搬送波抑圧が達成されるまでの安定化時間を必要とし、バースト通信システムには無効である。
【０００５】
図１は、搬送波抑圧の帰還構成の動作を示す図である。図１には、変調装置１０５、搬送波レベル検出器１１０、搬送波ヌル制御装置１１５、及び搬送波ヌル調整装置１２０がある。変調装置１０５の出力の一部は搬送波レベル検出器１１０に供給され、搬送波ヌル制御装置１１５は検出された搬送波レベルに応じた搬送波ヌル信号を提供する。搬送波ヌル制御装置１１５からの搬送波ヌル信号は搬送波ヌル調整装置１２０内の手動調整信号と結合する。搬送波ヌル調整装置の出力は結合器１０１によって入力信号と結合し、結合した出力は変調信号入力として変調装置１０５に印加される。変調装置１０５は入力信号及び搬送波ヌル調整装置１２０から引き出された搬送波及び調整変調信号を受信する。ただし、搬送波抑圧の帰還構成の実施は手動の調整によって行われ、追加の装置と電源投入からの大幅な信号設定時間とを必要とする。空間、重量、及び保守へのアクセスが重要な衛星及びその他の通信システムでは、帰還タイプの搬送波抑圧装置の追加は望ましくない。したがって、送信機パラメータの正確な調整も帰還タイプの搬送波抑圧装置の追加も必要とせずに適切な搬送波抑圧を提供することが問題である。
【０００６】
Ｊｏｈｎ  Ｅ．Ｂｊｏｒｎｈｏｌｔ他に発行された１８８４年５月８日の米国特許第４，４４７，９０７号は、複数の直列に接続された２相変調装置と複数の２進符号信号を生成する１組の符号生成器とがある複数のミクサのスペクトラム拡散変調構成を開示する。複数の２進符号信号は等しい相対位相角を有し入力搬送波信号を直列に変調するような位相にある。各変調装置はそれに印加された搬送波信号を拡散する。直列に接続された２相変調装置から出力される変調された搬送波の信号電力は２進符号化変調信号によって決定される範囲にわたって拡散される。その結果、Ｂｊｏｒｎｈｏｌｔ他の構成は、搬送波抑圧された情報信号ではなくスペクトラム拡散通信で使用する雑音に似た拡散搬送波信号を提供する。したがって、Ｂｊｏｒｎｈｏｌｔ他の構成は擬似乱数雑音スペクトラム拡散信号を必要とする、または使用する広帯域伝送にのみ適している。
【特許文献１】米国特許第５，４５０，０４４号
【特許文献２】米国特許第４，７４８，６４１号
【特許文献３】米国特許第６，６８７，３１１号
【特許文献４】米国特許第４，４４７，９０７号
【発明の概要】
【発明が解決しようとする課題】
【０００７】
本発明は、搬送波が１組の直列に接続された変調装置内で変調され、変調信号が直列に接続された変調装置の各々に印加される装置に関する。
【課題を解決するための手段】
【０００８】
本発明の一態様によれば、直列に接続された変調装置に印加される変調信号は搬送波入力で受信する変調された搬送波出力を変調し、情報信号に対応し、高度に抑圧された搬送波を有する直列に接続された複数の変調装置のうち最後の変調装置の変調された搬送波出力を生成する。
【０００９】
本発明の別の態様によれば、直列に接続された変調装置のうち特定の変調装置に印加される変調信号は、先行する変調装置によって生成される変調成分をほぼ除去し、直列に接続された変調装置の１つの搬送波入力に印加される変調信号は情報信号を含む。
【００１０】
本発明のさらに別の態様によれば、第１及び第２の直列に接続された変調装置がある。第２の変調装置に印加される変調信号は第１の変調装置に印加される変調信号の逆数の成分を有し、やはり情報信号を含む。
【００１１】
本発明のさらに別の態様によれば、第１及び第２の変調装置のうち第１の変調装置に印加される変調信号は擬似乱数信号である。
【００１２】
本発明のさらに別の態様によれば、第１及び第２の変調装置の１つに印加される情報信号はアナログ信号または直交振幅変調（ＱＡＭ）信号である。
【００１３】
本発明のさらに別の態様によれば、情報信号は２相シフト・キーイング信号である。２相シフト・キーイング信号内の後続の２進の１に関して直列に接続された第１及び第２の変調装置に印加される変調信号は、１、１と−１、−１との間で切り替わり、２相シフト・キーイング信号内の後続の２進の０に関して第１及び第２の変調装置に印加される変調信号は、１、−１と−１、１との間で切り替わる。
【００１４】
本発明のさらに別の態様によれば、直列に接続された変調装置は第１及び第２の変調装置からなり、情報信号は直交位相シフト・キーイング（ＱＰＳＫ）信号である。情報信号内の後続のI＝−１、Ｑ＝−１に関して第１及び第２の変調装置に印加される変調信号は、Ｉ、Ｑが（１、１）（−１、−１）、（−１、−１）（１、１）、（１、−１）（−１、１）、（−１、１）（１、−１）と順次切り替わる。情報信号内の後続のI＝−１、Ｑ＝１に関して第１及び第２の変調装置に印加される変調信号は、Ｉ、Ｑが（−１、１）（１、１）、（−１、−１）（１、−１）、（１、１）（−１、１）、（１、−１）（−１、−１）と順次切り替わる。情報信号内の後続のI＝１、Ｑ＝−１に関して第１及び第２の変調装置に印加される変調信号は、Ｉ、Ｑが（１、１）（１、−１）、（１、−１）（１、１）、（−１、１）（−１、−１）、（−１、−１）（−１、１）と順次切り替わる。情報信号内の後続のI＝１、Ｑ＝１に関して第１及び第２の変調装置に印加される変調信号は、Ｉ、Ｑが（１、１）（１、１）、（−１、−１）（−１、−１）、（−１、１）（−１、１）、（１、−１）（１、−１）と順次切り替わる。
【００１５】
本発明のさらに別の態様によれば、直列に接続された変調装置は第１及び第２の変調装置からなり、情報信号は直交位相シフト・キーイング信号である。情報信号内の後続のI＝−１、Ｑ＝−１に関して第１及び第２の変調装置に印加される変調信号は、Ｉ、Ｑが（１、１）（−１、−１）、（−１、−１）（１、１）、（１、−１）（−１、１）、（−１、１）（１、−１）からランダムに選択される。情報信号内の後続のI＝−１、Ｑ＝１に関して第１及び第２の変調装置に印加される変調信号は、Ｉ、Ｑが（−１、１）（１、１）、（−１、−１）（１、−１）、（１、１）（−１、１）、（１、−１）（−１、−１）からランダムに選択される。情報信号内の後続のI＝１、Ｑ＝−１に関して第１及び第２の変調装置に印加される変調信号は、Ｉ、Ｑが（１、１）（１、−１）、（１、−１）（１、１）、（−１、１）（−１、−１）、（−１、−１）（−１、１）からランダムに選択される。情報信号内の後続のI＝１、Ｑ＝１に関して第１及び第２の変調装置に印加される変調信号は、Ｉ、Ｑが（１、１）（１、１）、（−１、−１）（−１、−１）、（−１、１）（−１、１）、（１、−１）（１、−１）からランダムに選択される。
【００１６】
本発明の一態様によれば、第１及び第２の変調装置は直列に接続され、搬送波は第１の変調装置に印加される。エンコーダは、第１の変調装置に印加される変調信号として非ゼロの擬似乱数パターン信号を形成し、第２の変調装置に印加される変調信号として非ゼロの擬似乱数パターン信号の逆数を形成する。第１の変調装置の出力は部分的に抑圧された搬送波と非ゼロの擬似乱数変調成分とを有する。第２の変調装置では、搬送波はさらに抑圧され、逆数の非ゼロの擬似乱数変調成分は第１の変調装置の非ゼロの擬似乱数変調成分を除去する。第２の変調装置はさらに抑圧された搬送波と情報信号に対応する変調成分を出力する。
【００１７】
本発明の別の実施形態では、２相シフト・キーイング型変調装置は直列に接続された第１及び第２の変調装置から構成される。第１及び第２の変調装置の各々に異なる変調信号を提供するエンコーダに２進情報信号が印加される。情報信号内に後続の「１」が出現すると、エンコーダは第１の変調装置に関して−１と１の変調信号を、第２の変調装置に関して１と−１の変調信号を交互に形成して第２の変調装置から−１の出力を生成する。情報信号内に後続の「０」が出現すると、エンコーダは第１の変調装置に関して−１と１の変調信号を、第２の変調装置に関して−１と１の変調信号を交互に形成して第２の変調装置から１の出力を生成する。
【００１８】
本発明のさらに別の実施形態では、２相シフト・キーイング型変調装置は直列に接続された第１及び第２の変調装置から構成される。第１及び第２の変調装置の各々に異なる変調信号を提供するエンコーダに２進情報信号が印加される。情報信号内に後続の「１」が出現すると、エンコーダは第１の変調装置に関して−１と１の変調信号を、第２の変調装置に関して１と−１の変調信号をランダムに形成して第２の変調装置から−１の出力を生成する。情報信号内に後続の「０」が出現すると、エンコーダは第１の変調装置に関して−１と１の変調信号を、第２の変調装置に関して−１と１の変調信号をランダムに形成して第２の変調装置から１の出力を生成する。
【図面の簡単な説明】
【００１９】
【図１】搬送波抑圧制御のために帰還を使用する従来技術の変調システムを示すブロック図である。
【図２】本発明の例示的な搬送波抑圧変調装置の一般的なブロック図である。
【図３Ａ】各々の連続する段階で搬送波抑圧が増加する図２の変調装置で得られる変調出力を示す図である。
【図３Ｂ】各々の連続する段階で搬送波抑圧が増加する図２の変調装置で得られる変調出力を示す図である。
【図３Ｃ】各々の連続する段階で搬送波抑圧が増加する図２の変調装置で得られる変調出力を示す図である。
【図４】擬似乱数タイプの変調信号を使用する本発明の搬送波抑圧構成の一実施形態のブロック図である。
【図５】本発明の例示的な搬送波抑圧ＢＰＳＫ変調装置の一般的なブロック図である。
【図６】図５の搬送波抑圧ＢＰＳＫ変調装置の１つのタイプの詳細なブロック図である。
【図７】図６の搬送波抑圧ＢＰＳＫ変調装置の動作を示すタイミング図である。
【図８】図５の搬送波抑圧ＢＰＳＫ変調装置のあるタイプのエンコーダの詳細なブロック図である。
【図９】図５の搬送波抑圧ＢＰＳＫ変調装置の別のタイプのエンコーダの詳細なブロック図である。
【図１０】搬送波抑圧直交位相シフト・キーイング型（ＱＰＳＫ）変調装置の一般的なブロック図である。
【図１１】入力データに関して変調信号の循環する組が形成される図１０の搬送波抑圧ＱＰＳＫ変調装置の動作を示す流れ図である。
【図１２】入力データに関して変調信号がランダムに選択される図１０の搬送波抑圧ＱＰＳＫ変調装置の動作を示す流れ図である。
【発明を実施するための形態】
【００２０】
ＲＦ変調装置の搬送波抑圧を提供するには、変調装置の特性を正確に調整してゲイン、位相及び搬送波漏洩のオフセットの平衡をとることが必要である。Ｉ及びＱ入力を用いる平衡型変調装置では、搬送波抑圧は、変調装置のＩ及びＱ段に印加される信号のＤＣ電圧の一致、変調装置の振幅平衡及び搬送波漏洩とによって第１に決定される。本発明によれば、複数の変調装置が直列に接続され、搬送波抑圧をさらに増加する。図２は本発明による搬送波抑圧変調装置のブロック図である。図２に、エンコーダ２０１と直列に接続された変調装置２０５−１、２０５−２、．．．、２０５−ｎ−１、２０５−ｎが示されている。直列に接続された変調装置は実数または複素数アナログまたはディジタル乗算器である。変調装置２０５−１の搬送波入力に搬送波が印加される。変調装置２０５−１の出力は同様に変調装置２０５−２の搬送波入力に印加され、変調装置チェーン内の各変調装置の搬送波入力は先行の変調装置の出力に結合されている。エンコーダ２０１の入力に情報信号２１５が印加される。情報信号は実数または複素数アナログまたはディジタル信号である。エンコーダ２０１は各々の変調装置２０５−１〜２０５−ｎに変調信号を提供する。エンコーダ２０１は、各瞬間に変調装置に印加される変調信号の積が情報信号に対応するように変調信号を形成する。情報信号２１５がアナログ信号またはＱＡＭタイプの信号の場合、１組の変調装置、例えば、変調装置２０５−１、２０５−３．．．及び２０５−ｎ−１に関して形成される変調信号は、任意に選択される。一方、残りの変調装置、例えば、変調装置２０５−２、２０５−４．．．及び２０５−ｎに関して形成される信号は、変調装置２０５−１、２０５−３．．．及び２０５−ｎ−１に関して形成される変調信号の逆数である。アナログまたはＱＡＭ情報信号２１５は、１つまたは複数の変調装置に関して形成される変調信号に乗算され、結果として得られる積信号はその変調装置に供給される。なお、変調信号の積が情報信号に対応する変調信号と逆数の変調信号と情報信号とを各変調装置に印加する構成も使用できる。
【００２１】
図３Ａ、図３Ｂ及び図３Ｃはそれぞれ変調装置２０５−１、２０５−２、２０５−ｎの出力を示す。図３Ａに示すように、変調装置２０５−１の出力は搬送波成分３０５を有する。図３Ａに示す変調装置出力３０１（すなわち、残りの搬送波及び変調成分）は、図３Ｂに示す搬送波をさらに抑圧し出力３１０でよい低い搬送波レベル３１５を提供する変調装置２０５−２の搬送波入力に印加される。各々の後続の変調装置は図３Ｃに示す最後の変調装置２０５−ｎの出力３２０が極度に抑圧された搬送波３２５を有するように搬送波レベルを低減する。任意に選択された変調信号は１組の変調装置に印加され、選択された変調信号の逆数の信号が残りの変調装置の組に印加されるので、最後の変調装置２０５−ｎの出力３２０の変調成分は変調装置の１つに供給される情報信号に対応する。通常、個別のＲＦ変調装置は２０ｄＢの搬送波抑圧を確実に提供する。したがって、図２のｎ個の変調装置の直列接続ははるかに大きい２０×ｎｄＢの搬送波抑圧を提供する。
【００２２】
図４に、１対の変調装置の第１の変調装置に擬似乱数変調信号が印加され、１対の変調装置の第２の変調装置の変調信号として非ゼロ擬似乱数変調信号の逆数とアナログ情報信号とが印加される本発明の例示的な搬送波抑圧変調装置を示す。図２の搬送波抑圧構成と同様に、第１の変調装置の搬送波抑圧は第２の変調装置のさらなる搬送波抑圧によって強化され、第２の変調装置の出力は、アナログ情報信号に対応する変調成分によって、単一の変調装置の抑圧と比較して対数で２倍低減された極度に抑圧された搬送波を有する。変調信号をランダムに変化させることで、各変調装置の信号は効率的に相関され、各々の個別の変調装置での搬送波抑圧は正確な調整をする必要なしに改善される。
【００２３】
図４の搬送波抑圧変調装置は、直交振幅変調装置４２５及び４３０とエンコーダ４００とを有する。エンコーダ４００内には、擬似乱数信号生成器４０３と、逆数形成回路４１０と、位相否定回路４１５と、コンバイナ回路４２０と、信号形成装置４０１及び４０５がある。動作時には、搬送波は変調装置４２５の搬送波入力に結合され、情報信号Ｉｎｆ（ｔ）４４０はエンコーダ４００の入力に結合される。変調装置４２５の出力は変調装置４３０の搬送波入力に結合され、変調装置４３０の出力は搬送波抑圧された変調信号Ｓ（ｔ）を提供する。擬似乱数信号生成器４０３は非ゼロ擬似乱数信号Ａ（ｔ）及び擬似乱数位相信号φ（ｔ）を生成する。信号Ａ（ｔ）及びφ（ｔ）は以下の同相及び直角位相信号を形成する信号形成装置４０１に印加される。
Ｉ１（ｔ）＝Ａ（ｔ）ｃｏｓφ（ｔ）及び
Ｑ１（ｔ）＝Ａ（ｔ）ｓｉｎφ（ｔ）
【００２４】
Ｉ１（ｔ）及びＱ１（ｔ）信号は際１の変調装置４２５のＩ及びＱ変調信号入力に供給される。
【００２５】
コンバイナ４２０は情報信号Ｉｎｆ（ｔ）、逆回路４１０からの信号１／Ａ（ｔ）、及び位相否定回路４１５からの信号−φ（ｔ）を受信する。これらの信号は結合され、積信号（ｉｎｆ（ｔ）（（−φ（ｔ））／Ａ（ｔ）が形成され、この積信号は信号形成装置４０５に受信される。信号形成装置４０５の出力は以下の通りである。
Ｉ２（ｔ）＝［Ｉｎｆ（ｔ）］［Ｉ／Ａ（ｔ）］ｃｏｓ（−φ（ｔ））
Ｑ２（ｔ）＝［Ｉｎｆ（ｔ）］［Ｉ／Ａ（ｔ）］ｓｉｎ（−φ（ｔ）
【００２６】
ディジタル高速の実施態様の場合、同期化装置４３５が信号形成装置４０１及び４０５の出力を同期化または再クロック制御して、いかなる瞬間にも信号形成装置４０１からのＩ１（ｔ）、Ｑ１（ｔ）信号が信号形成装置４０５からの対応するＩ２（ｔ）、Ｑ２（ｔ）信号と同時に生成され、それによって変調装置４３０の出力が情報信号Ｉｎｆ（ｔ）に対応するように動作する。変調装置４３０はその変調信号及びその搬送波入力への変調装置４２５の出力として変調信号Ｉ２（ｔ）及びＱ２（ｔ）を受信する。変調装置４３０の逆数変調信号は、変調装置４２５に印加される非ゼロ擬似乱数信号に対応する変調装置４２５の出力の変調線分を打ち消し、情報信号Ｉｎｆ（ｔ）に対応する抑圧された搬送波変調信号Ｓ（ｔ）を生成する。情報信号はアナログ信号またはＱＡＭ信号などの、任意の形式でよい。
【００２７】
図５に、本発明によるＢＰＳＫ情報信号のための搬送波抑圧変調装置のブロック図を示す。よく知られているように、ＢＰＳＫ変調装置の出力は２つの１８０度の位相外れ出力を有する。一方の出力位相は「１」に対応し、他方の出力位相は「−１」に対応する。図５に、エンコーダ５０１と変調装置５０５及び５１０が示されている。エンコーダ５０１は入力データ信号に対応する変調装置５１０の出力の変調信号を提供する信号形成装置として動作する。変調装置５０５の入力には搬送波が印加される。変調装置５０５の出力は変調装置５１０の搬送波入力に結合される。変調装置５０５の変調入力に変調信号Ｑ１を供給し、変調装置５１０の変調入力に変調信号Ｑ２を供給するエンコーダ５０１にディジタル情報信号が印加される。エンコーダ５０１内で入力情報信号は処理され、変調装置５０５に入力されるＱ１変調信号と変調装置５１０に入力されるＱ２変調信号とが形成される。ディジタル情報信号の処理の過程で、１つのタイプの後続の入力情報ビットがＱ１及びＱ２の変動パターンを生成し、１つの情報ビットに対するＱ１及びＱ２信号の各々の積がその情報ビットに対応する。その結果、変調装置５０５の出力の変調成分は変調装置５１０によって変更され、情報ビットに対応する変調成分が提供される。
【００２８】
エンコーダ５０１を使用する変調システムの一実施形態の詳細なブロック図を図６に示す。図６の回路は、情報信号内の後続の「１」データ・ビットに関して１、−１と１、１の変調信号を交互に提供し、情報信号内の後続の「０」データ・ビットに関して１，１と−１、−１の変調信号を交互に提供する。表１に変調信号Ｑ１及びＱ２を提供する場合のエンコーダ５０１の機能を示す。
【００２９】
【表１】
0005404757.tif 000002
【００３０】
表１に示すように、２進の０のデータ入力はＱ１＝１及びＱ２＝１の変調信号またはＱ１＝−１及びＱ２＝−１の変調信号を形成することで１の出力信号を生成する。２進の１のデータ入力はＱ１＝１及びＱ２＝−１の変調信号またはＱ１＝−１及びＱ２＝１の変調信号を形成することで−１の出力信号を生成する。エンコーダ５０１は、変調装置５１０の１の変調出力を生成する後続の２進の０のデータ入力に関してＱ１＝１、Ｑ２＝１の変調信号及びＱ１＝−１、Ｑ２＝−１の変調信号を交互に形成し、変調装置５１０の−１の変調出力を生成する後続の２進の１のデータ入力に関してＱ１＝１、Ｑ２＝−１の変調信号及びＱ１＝−１、Ｑ２＝１の変調信号を交互に形成する。交互に形成された変調信号は変調内容を変更し、それによって変調を相関解除して変調装置５１０の出力信号の搬送波成分をさらに抑圧する。
【００３１】
図６を参照すると、Ｄタイプのフリップ・フロップ６２０、６２５、６６０及び６６５と、入力ゲート６１０及び６１５と、論理アレイ・ゲート６３０、６３５、６４０、６４５、６５０及び６５５と、インバータ６１１、６１３及び６６８と、駆動増幅器６７０及び６８０とが示されている。よく知られているように、Ｄタイプのフリップ・フロップはクロック制御されるとＤ入力の状態に合わせてその状態を変える。正のクロック遷移で「１」のデータ・ビットが現れるたびに、ゲート６１０は使用可能になり、フリップ・フロップ６２０を反転させる。入力ゲート６１５は正のクロック遷移で「０」のデータ・ビットが現れるたびに使用可能になり、フリップ・フロップ６２５が反転する。フリップ・フロップ６２０のＱＡ出力が１でＱＡ’出力が０の時に「１」のデータ・ビットが出現すると、フリップ・フロップ６２０のＱＡ’出力は１になる。次いでＡＮＤゲート６４０が使用可能になり、ＡＮＤゲート６３０及び６３５がインヒビットされる。その結果、フリップ・フロップ６６０は０状態にセットされ、Ｑ１出力は「−１」になる。フリップ・フロップ６６５は使用可能になったゲート６４０の出力によって１状態にセットされ、Ｑ１出力は「１」になる。次の「１」データ・ビットでフリップ・フロップ６２０は反転し、ＱＡ出力は１になる。次いでＡＮＤゲート６３０が使用可能になり、ＡＮＤゲート６４０及び６４５はインヒビットされる。次いでフリップ・フロップ６６０はＯＲゲート６５０を介して使用可能になったゲート６３０によって１状態にセットされ、Ｑ１出力は「１」になる。一方、フリップ・フロップ６６５は０状態になり、「−１」のＱ１出力を生成する。
【００３２】
「０」のデータ入力ビットが出現すると、フリップ・フロップ６２５は反転し、例えば、１状態になる。ＡＮＤゲート６３５はフリップ・フロップ６２５のＱＢ出力とデータによって使用可能になる。ＡＮＤゲート６４５はインバータ６１１を介したデータ入力とインバータ６６８の出力とによって使用可能になる。その結果、フリップ・フロップ６６０はＯＲゲートを介して次のクロック遷移によって１状態にセットされる。フリップ・フロップ６６５はＯＲゲート６５５によって１状態にセットされる。Ｑ１出力は「１」になり、Ｑ２出力は「１」になる。次の「０」データ・ビットに応答して、フリップ・フロップ６２５はＡＮＤゲート６１５によって０状態に反転する。ＡＮＤゲート６３０及び６４０は「０」データ入力によってインヒビットされる。ＡＮＤゲート６３５はフリップ・フロップ６２５の０状態によってインヒビットされ、ＡＮＤゲート６４５はインバータ６６８の出力によってインヒビットされる。ＯＲゲート６５０及び６５５の出力がないことに応答して、フリップ・フロップ６６０及び６６５は０状態になり、Ｑ１出力は「−１」、Ｑ２出力は「−１」になる。こうして、後続の「１」データ・ビットに関してＱ１、Ｑ２変調信号は交互に１、−１と−１、１になり、後続の「０」データ・ビットに関してＱ１、Ｑ２変調信号は交互に１、１と−１、−１になる。
【００３３】
フリップ・フロップ６６０及び６６５のクロック制御は、フリップ・フロップ６６０のＱ１出力のデータとフリップ・フロップ６６５のＱ２出力のデータがクロック・パルスがＨＩＧＨの期間とクロックがＨＩＧＨの前後の短い期間に安定しているように構成されている。フリップ・フロップ６６０及び６６５の出力はそれぞれ駆動増幅器６７０及び６８０を介して変調装置６７５及び６８５の変調信号入力に結合される。増幅器６７０及び６８０は論理信号Ｑ１及びＱ２を乗算タイプの変調装置６７５及び６８５に適合する変調装置駆動信号に変換し、コンデンサ６７１及び６８１は変調装置６７５及び６８５の変調信号入力にＡＣ結合を提供する。
【００３４】
図７は図６で実施される図５のエンコーダ５０１の動作を示すタイミング図である。図７に示すように、ｔ０とｔ１の間の「１」データ信号７０５の結果としてｔ１とｔ２の間にＱ１＝１、Ｑ２＝−１の変調信号７１０及び７１５が生成される。次のｔ２とｔ３の間の「１」データ信号７０５の結果としてｔ３とｔ４の間にＱ１＝−１、Ｑ２＝１の変調信号７１０及び７１５が生成され、ｔ４とｔ５の間の後続の「１」データ信号の結果としてｔ５とｔ６の間にＱ１＝１、Ｑ２＝−１の変調信号７１０及び７１５がセットされる。ｔ１とｔ２の間に「０」データ信号７０５があるとｔ２とｔ３の間にＱ１＝１、Ｑ２＝１の変調信号７１０及び７１５がセットされる。ｔ３とｔ４の間に次の「０」データ信号７０５があるとｔ４とｔ５の間にＱ１＝−１、Ｑ２＝−１の変調信号７１０及び７１５がセットされる。ｔ５とｔ６の間に後続の「０」データ信号７０５があるとｔ６とｔ７の間にＱ１＝１、Ｑ２＝１の変調信号７１０及び７１５がセットされる。１、１及び１、−１の変調信号に関する変調装置６８５の出力はデータ信号入力０に対応する−１である。−１、１及び１、−１の変調信号に関する変調装置６８５の出力はデータ信号入力１に対応する。本発明によれば、直列に接続された変調装置に印加される変調信号の積は入力データ信号に対応し、データ信号内の後続の同じビットに関する変調信号は交互に切り替わり、変調信号の相関解除を提供し、直列に接続された変調装置の搬送波抑圧を向上させる。
【００３５】
本発明によれば、各々の変調信号Ｑ１及びＱ２は０値のＤＣ成分を有することがあり、一方、出力信号は非ゼロの値を有する。図７に示すように、Ｑ１信号７１０は偶数クロック周期から始めて１、−１と−１、１の状態を交互に繰り返す。同様に、Ｑ２信号７１５は奇数クロック周期から始めて１、−１と−１、１の状態を交互に繰り返す。このＢＩＰＨＡＳＥ−Ｌタイプの符号化によってＱ１及びＱ２のゼロＤＣ値が保証され、したがって、Ｑ１とＱ２はコンデンサ６７１及び６８１を介して変調装置６７５及び６８５にＡＣ結合され、結果として得られる出力変調された信号が非ゼロ、ＤＣまたは搬送波成分を有するとしても、変調信号駆動装置６７０及び６８０内のＤＣオフセットによる搬送波の増加を防止する。
【００３６】
図５のＢＰＳＫ搬送波抑圧変調装置に使用できるＢＰＳＫ搬送波抑圧変調装置の別のタイプのエンコーダを図８に示す。図８には、Ｄタイプのフリップ・フロップ８０１及び８０５と排他的否定論理和ゲート８１０がある。フリップ・フロップ８０１はクロック入力を有する。フリップ・フロップ８０１のＱａ’出力はＤ入力に結合され、フリップ・フロップ８０１は正のクロック遷移のたびに反転する。フリップ・フロップ８０１のＱａ出力は図５の変調装置５０５にＱ１変調信号を提供する。フリップ・フロップ８０５はＤ入力でデータ信号を受信し、フリップ・フロップ８０５のＱｂ出力はクロックの正の遷移によってクロック制御されてＤ入力に印加されるデータ信号に従う。排他的否定論理和ゲート８１０は、フリップ・フロップ８０１からのＱａ入力がフリップ・フロップ８０５からのＱｂ入力と同じである時にＱ２＝「１」の変調信号を提供し、フリップ・フロップ８０１からのＱａ入力がフリップ・フロップ８０５からのＱｂ入力と異なる時にＱ２＝「−１」の変調信号を提供する。
【００３７】
フリップ・フロップ８０１からの出力Ｑａはフリップ・フロップ８２５のＤ入力に印加され、排他的否定論理和ゲート８１０の出力はフリップ・フロップ８３０のＤ入力に印加される。フリップ・フロップ８２５及び８３０へのクロック入力はインバータ８１５を介して供給される。次いで、フリップ・フロップ８２５及び８３０のＱ１及びＱ２出力は図５の変調装置５０５及び５１０の変調信号入力に供給される。フリップ・フロップ８２５及び８３０ならびにインバータ８１５はＱ１及びＱ２変調信号を同期化し、Ｑ１及びＱ２データはクロック信号がＨＩＧＨの期間とクロック信号がＨＩＧＨの前後の短い期間に安定する。排他的否定論理和ゲート８１０の伝搬遅延が有意になるより高い周波数で、Ｑ１とＱ２変調信号の間の遅延は変調装置の有効性を低減する帯域外エネルギーを生成することがある。フリップ・フロップ８２５及び８３０と再クロック制御することで、Ｑ１とＱ２変調信号の間のタイミング誤りは最小限にされる。
図８のエンコーダの動作を表２に示す。
【００３８】
【表２】
0005404757.tif 000003
【００３９】
図２を参照すると、期間１〜１０のデータの変調信号シーケンスの一例が示されている。Ｑ１変調信号はフリップ・フロップ８０１の反転する出力Ｑａに対応し、Ｑ２変調信号は排他的否定論理和ゲート８１０の出力に対応する。期間１では、データ信号は「１」でフリップ・フロップ８０１のＱａ出力は１である。データと排他的否定論理和ゲート８１０へのＱ１入力の両方は同じであるため、Ｑ２変調信号は「１」で、Ｑ１とＱ２の積に対応する変調装置５１０の出力は「１」である。期間２では、データ信号は「０」でフリップ・フロップのＱａ出力は「０」である。したがって、Ｑ１変調信号は「−１」である。データ信号とＱａ出力とは異なり、それによって、Ｑ２変調信号は「−１」になる。表２から容易に分かるように、データ信号内の後続の「１」とデータ信号内の後続の「０」とに関するＱ１変調信号は、フリップ・フロップ８０１のＱａ出力の状態に従って変化する。一方、データ信号内の後続の「１」とデータ信号内の後続の「０」とに関するＱ２変調信号は、反転するフリップ・フロップ８０１の状態に基いて変化する。ただし、各期間で、Ｑ１とＱ２変調信号の積は入力データ信号に対応する。
【００４０】
図９に、図８の反転するフリップ・フロップ８０１の代わりに擬似乱数生成器を用いる図５のＢＰＳＫ変調装置の別のエンコーダ構成を示す。図９を参照すると、擬似乱数生成器９０１はクロック入力を、乱数出力ＲＤＮを提供する。Ｄタイプのフリップ・フロップ９０５はＤ入力でクロック入力とデータ信号とを受信する。排他的否定論理和ゲート９１０の一方の入力にはフリップ・フロップ９０５のＱｂ出力が印加され、排他的否定論理和ゲートは、擬似乱数生成器９０１から別の入力を受信する。排他的否定論理和ゲート９１０は、その擬似乱数とデータ入力とが同じである時に「１」を形成し、その擬似乱数とデータ入力とが異なる時に「−１」を形成する。したがって、図５の変調装置５０５及び５１０に印加されるＱ１とＱ２の変調信号の積は常に入力データ信号に対応する。図８に関して説明するように、後続の「１」に関する変調信号と後続の「−１」に関する変調信号とは異なるが、これは反転するフリップ・フロップに従ってではなく擬似乱数的に異なる。
【００４１】
擬似乱数生成器９０１の出力ＲＤＮはフリップ・フロップ９２５のＤ入力に印加され、排他的否定論理和ゲート９１０の出力はフリップ・フロップ９３０のＤ入力に印加される。フリップ・フロップ９２５及び９３０へのクロック入力はインバータ９１５を介して供給される。次いでフリップ・フロップ９２５及び９３０のＱ１及びＱ２出力は図５の変調装置５０５及び５１０の変調信号入力に供給される。フリップ・フロップ９２５及び９３０ならびにインバータ９１５は図８に関する説明と同様に動作し、Ｑ１及びＱ２変調信号を同期化して排他的否定論理和ゲート９１０の遅延を補償し、クロック信号がＨＩＧＨの期間とクロック信号が周波数が高いＨＩＧＨの前後の短い期間に安定するようにしている。
【００４２】
本発明による抑圧された搬送波ＱＰＳＫ変調を図１０に示す。図１０には、直列に接続された搬送波抑圧タイプの変調装置１０２５及び１０３０ならびにエンコーダ１０００がある。信号形成装置タイプのエンコーダ１０００には、変調信号アドレス回路１００５及び変調信号テーブル１０１０がある。搬送波は変調装置１０２５の搬送波入力に供給される。エンコーダ１０００から変調装置１０２５の同相及び直角位相入力に同相変調信号Ｉ１（ｔ）及び直角位相信号Ｑ１（ｔ）が印加される。変調装置１０２５の出力信号は変調装置１０３０の搬送波入力に結合され、変調装置１０３０はその変調信号入力で同相変調信号Ｉ２（ｔ）及び直角位相変調信号Ｑ２（ｔ）を受信する。
【００４３】
エンコーダ１０００は同相成分Ｉ（ｔ）と直角位相成分Ｑ（ｔ）とを有するＱＰＳＫ情報信号Ｉｎｆ（ｔ）を変調信号Ｉ１（ｔ）、Ｑ１（ｔ）、Ｉ２（ｔ）、Ｑ２（ｔ）に変換する。エンコーダ１０００内の変換は所与の入力シンボルの後続の発生が変調装置１０２５及び１０３０の各々に関して変動する変調信号を提供するように構成されている。変調信号アドレス回路１００５は情報信号の連続するＩ、Ｑデータ・ビットを受信し、変調信号テーブル１０１０は変調信号アドレス回路１００５によって参照されて変調装置１０２５と変調装置１０３０に関して異なる変調信号を提供する。同じシンボルの組の変動する変調信号Ｉ１（ｔ）、Ｑ１（ｔ）、Ｉ２（ｔ）及びＱ２（ｔ）は変調装置内のＤＣオフセットを相関解除し、搬送波抑圧を拡大する。表３に変調信号テーブルの一例を示す。
【００４４】
【表３】
0005404757.tif 000004
【００４５】
表３の「入力」カラムは情報信号の入力Ｉ、Ｑデータシンボルの各シンボルの可能な値を列挙する。カラム「ｎ」は各入力シンボルに関する変調信号のＩ１、Ｑ１及びＩ２、Ｑ２シンボルのいくつかの組を識別する。４つの「ｎ１」行は情報信号Ｉ＝−１、Ｑ＝−１に対応する変調装置１０３０の変調出力を提供するＩ１、Ｑ１及びＩ２、Ｑ２変調信号を識別する。４つの「ｎ２」行は情報信号Ｉ＝−１、Ｑ＝１に対応する変調装置１０３０の変調出力を提供するＩ１、Ｑ１及びＩ２、Ｑ２シンボルを識別する。４つの「ｎ３」行は情報信号Ｉ＝１、Ｑ＝−１に対応する変調装置１０３０の変調出力を提供するＩ１、Ｑ１及びＩ２、Ｑ２シンボルを識別する。４つの「ｎ４」行は情報信号Ｉ＝１、Ｑ＝１に対応する変調装置１０３０の変調出力を提供するＩ１、Ｑ１及びＩ２、Ｑ２シンボルを識別する。各「ｎ」アドレスの変調信号は、同相変調信号の積が入力情報信号の同相成分に対応し、直角位相変調信号の積が入力情報信号の直角位相成分に対応するように選択される。
【００４６】
図１１は図１０の１つのタイプのエンコーダ１０００の動作を示す流れ図である。図１１を参照すると、変調信号アドレス回路１００５内のシンボルアドレス・インデクスｎ１、ｎ２、ｎ３及びｎ４はステップ１１０１で最初１にセットされ、次の情報信号入力データがステップ１１０３で変調信号アドレス回路１００５によって得られる。入力データがＩ＝−１、Ｑ＝−１の時には、ステップ１１０３から判定ステップ１１０５を介してステップ１１１０に移行する。ステップ１１１０でｎ１＝１の場合、変調信号テーブル内のシンボルＩ１＝１、Ｑ１＝１、Ｉ２＝−１及びＱ２＝−１が参照され、ステップ１１１３で変調装置１０２５及び１０３０に出力される。ｎ１はステップ１１１５でインクリメントされ、判定ステップ１１２０を介して再度ステップ１１０３に移行する。ｎ１＝４の場合、ｎ１はステップ１１２５で１にリセットされ、再度ステップ１１０３に移行する。その結果、Ｉ１、Ｑ１、Ｉ２及びＱ２のシンボルの４つの組の異なる１つがＩ＝−１、Ｑ＝−１入力データシンボルの組が出現するたびに選択される。変調信号テーブル１０１０内のこれらのシンボルの組は後続のＩ＝−１、Ｑ＝−１入力データシンボルの組のための変調信号として循環形式で印加される。ｎ１の組の変調信号の各々の積（Ｉ１）（Ｉ２）は−１で入力データ同相Ｉシンボルに対応し、ｎ１の組の変調信号の各々の積（Ｑ１）（Ｑ２）は−１で入力データ直角位相Ｑシンボルに対応する。
【００４７】
入力データがＩ＝−１、Ｑ＝−１の時には、ステップ１１０３から判定ステップ１１３０を介してステップ１１３５に移行する。ステップ１１３５でｎ２＝１の場合、変調信号テーブル内のシンボルＩ１＝−１、Ｑ１＝１、Ｉ２＝１及びＱ２＝１が参照され、ステップ１１３８で変調装置１０２５及び１０３０に出力される。ｎ２はステップ１１４０でインクリメントされ、判定ステップ１１４５を介して再度ステップ１１０３に移行する。ｎ２＝４の場合、ｎ１はステップ１１５０で１にリセットされ、再度ステップ１１０３に移行する。その結果、Ｉ１、Ｑ１、Ｉ２及びＱ２のシンボルの４つの組の異なる１つがＩ＝−１、Ｑ＝１入力データシンボルの組が出現するたびに選択される。変調信号テーブル１０１０内のこれらのシンボルの組は後続のＩ＝−１、Ｑ＝１入力データシンボルの組のための変調信号として循環形式で印加される。ｎ２の組の変調信号の各々の積（Ｉ１）（Ｉ２）は−１で入力データ同相Ｉシンボルに対応し、ｎ２の組の変調信号の各々の積（Ｑ１）（Ｑ２）は１で入力データ直角位相Ｑシンボルに対応する。
【００４８】
入力データがＩ＝１、Ｑ＝−１の時には、ステップ１１０３から判定ステップ１１５５を介してステップ１１６０に移行する。ステップ１１６０でｎ３＝１の場合、変調信号テーブル内のシンボルＩ１＝１、Ｑ１＝１、Ｉ２＝１及びＱ２＝−１が参照され、ステップ１１６３で変調装置１０２５及び１０３０に出力される。ｎ３はステップ１１６５でインクリメントされ、判定ステップ１１７０を介して再度ステップ１１０３に移行する。ｎ３＝４の場合、ｎ３はステップ１１７５で１にリセットされ、再度ステップ１１０３に移行する。その結果、Ｉ１、Ｑ１、Ｉ２及びＱ２のシンボルの４つの組の異なる１つがＩ＝１、Ｑ＝−１入力データシンボルの組が出現するたびに選択される。変調信号テーブル１０１０内のこれらのシンボルの組は後続のＩ＝１、Ｑ＝−１入力データシンボルの組のための変調信号として循環形式で印加される。ｎ３の組の変調信号の各々の積（Ｉ１）（Ｉ２）は１で入力データ同相Ｉシンボルに対応し、ｎ３の組の変調信号の各々の積（Ｑ１）（Ｑ２）は−１で入力データ直角位相Ｑシンボルに対応する。
【００４９】
入力データがＩ＝１、Ｑ＝１の時には、ステップ１１０３から判定ステップ１１８０を介してステップ１１８５に移行する。ステップ１１８５でｎ４＝１の場合、変調信号テーブル内のシンボルＩ１＝１、Ｑ１＝１、Ｉ２＝１及びＱ２＝１が参照され、ステップ１１９０で変調装置１０２５及び１０３０に出力される。ｎ４はステップ１１９２でインクリメントされ、判定ステップ１１９５を介して再度ステップ１１０３に移行する。ステップ１１９５でｎ４＝４の場合、ｎ４はステップ１１９８で１にリセットされ、再度ステップ１１０３に移行する。その結果、Ｉ１、Ｑ１、Ｉ２及びＱ２のシンボルの４つの組の異なる１つがＩ＝１、Ｑ＝１入力データシンボルの組が出現するたびに選択される。変調信号テーブル１０１０内のこれらのシンボルの組は後続のＩ＝１、Ｑ＝１入力データシンボルの組のための変調信号として循環形式で印加される。ｎ４の組の変調信号の各々の積（Ｉ１）（Ｉ２）は１で入力データ同相Ｉシンボルに対応し、ｎ４の組の変調信号の各々の積（Ｑ１）（Ｑ２）は１で入力データ直角位相Ｑシンボルに対応する。
【００５０】
図１２は変調信号アドレス回路１００５が乱数生成器を用いて変調信号テーブル１０１０を参照するエンコーダ１０００の別のタイプの回路の動作を示す流れ図である。図１２で、変調信号アドレス回路１００５はステップ１２０５で情報信号Ｉｎｆ（ｔ）から次の入力データシンボルの組を受信する。入力データシンボルの組がＩ＝−１、Ｑ＝−１の場合、ステップ１２０５から判定ステップ１２１０を介してステップ１２１５に移行する。ステップ１２１５で、アドレス・インデクスｎ１に関して１〜４の擬似乱数が生成され、対応する変調信号の組が変調信号テーブル１０１０から選択される。例えば、ｎ１＝２の場合、シンボルの組Ｉ１＝−１、Ｑ１＝１、Ｉ２＝１及びＱ２＝−１がテーブル１０１０内で選択され、図１０のステップ１２２０で変調信号Ｉ１＝−１、Ｑ１＝１が変調装置１０２５に印加され、変調信号Ｉ２＝１、Ｑ２＝−１が変調装置１０３０に印加される。次いでステップ１２０５に戻り、次の入力データシンボルの組が処理される。
【００５１】
次の入力データシンボルの組がＩ＝−１、Ｑ＝１の場合、ステップ１２０５から判定ステップ１２２５を介して擬似乱数生成ステップ１２３０に移行する。ステップ１２３０で、アドレス・インデクスｎ２に関して１〜４の擬似乱数が生成され、対応する変調信号の組が変調信号テーブル１０１０から選択される。例えば、ｎ２＝３の場合、シンボルの組Ｉ１＝１、Ｑ１＝１、Ｉ２＝−１及びＱ２＝１がテーブル１０１０内で選択され、図１０のステップ１２３５で変調信号Ｉ１＝−１、Ｑ１＝１が変調装置１０２５に印加され、変調信号Ｉ２＝−１、Ｑ２＝−１が変調装置１０３０に印加される。次いでステップ１２０５に戻り、次の入力データシンボルの組が処理される。
【００５２】
変調信号アドレス回路１００５がデータシンボルの組Ｉ＝１、Ｑ＝−１を受信すると、ステップ１２０５から判定ステップ１２４０を介して擬似乱数生成ステップ１２４５に移行する。ステップ１２４５で、アドレス・インデクスｎ３に関して１〜４の擬似乱数が生成され、対応する変調信号の組が変調信号テーブル１０１０から選択される。例えば、ｎ３＝４の場合、シンボルの組Ｉ１＝−１、Ｑ１＝−１、Ｉ２＝−１及びＱ２＝１がテーブル１０１０内で選択され、図１０のステップ１０２５で変調信号Ｉ１＝−１、Ｑ１＝−１が変調装置１０２５に印加され、変調信号Ｉ２＝−１、Ｑ２＝１が変調装置１０３０に印加される。次いでステップ１２０５に戻り、次の入力データシンボルの組が処理される。
【００５３】
変調信号アドレス回路１００５が受信する入力データシンボルの組がＩ＝１、Ｑ＝−１の場合、ステップ１２０５から判定ステップ１２５５を介して擬似乱数生成ステップ１２６０に移行する。ステップ１２６０で、アドレス・インデクスｎ４に関して１〜４の擬似乱数が生成され、対応する変調信号の組が変調信号テーブル１０１０から選択される。例えば、ｎ４＝１の場合、シンボルの組Ｉ１＝１、Ｑ１＝１、Ｉ２＝１及びＱ２＝１がテーブル１０１０内で選択され、図１０のステップ１２６５で変調信号Ｉ１＝１、Ｑ１＝１が変調装置１０２５に印加され、変調信号Ｉ２＝１、Ｑ２＝１が変調装置１０３０に印加される。次いでステップ１２０５に戻り、次の入力データシンボルの組が処理される。
【００５４】
変調信号テーブル１０１０で、変調信号の各々のｎのインデクスされた組のＩ１及びＩ２変調信号の積は情報信号のＩ成分に対応し、変調信号の各々のｎのインデクスされた組のＱ１及びＱ２変調信号の積は情報信号のＱ成分に対応する。したがって、変調装置１０３０の出力の変調成分は情報信号に対応し、変調装置１０２５の搬送波入力に印加される搬送波はその後変調装置１０２５及び１０３０で抑圧される。図１２のエンコーダの動作で形成される変調信号はランダムに選択されるので、変調装置１０２５と１０３０内の変調信号の間で発生するオフセットは相関解除され、搬送波は図１０の回路でさらに抑圧される。
【００５５】
以上、特定の例示的な実施形態によって本発明を説明してきたが、本発明は電磁ＲＦ及び光スペクトルの任意の周波数で使用でき、音声波または弾性波に、あるいは他の任意の波形伝搬タイプの媒体で使用できる。例えば、本発明は搬送波抑圧変調が必要なシステム、例えば、規制によって伝送の電力密度が制限されるシステム、側波帯変調装置及び復調装置、符号分割多重接続システム、スペクトラム拡散システム、コヒーレンス低減または波長多重化を必要とする光システム、光周波数変換構成、直接変調または直接復調システム、及びスプリアスの低減及び／または変調の積を必要とする周波数計画で実施できる。したがって、本発明は上記の実施形態に限定されず、当業者は、本発明の範囲及び精神を逸脱することなく、本発明をさまざまに修正及び変更することができる。したがって、上記の実施形態は本発明の範囲を限定するものと解釈すべきではなく、本発明の範囲は首記の特許請求の範囲に包含される。
【図１】
0005404757.tif 000005
【図２】
0005404757.tif 000006
【図３Ａ】
0005404757.tif 000007
【図３Ｂ】
0005404757.tif 000008
【図３Ｃ】
0005404757.tif 000009
【図４】
0005404757.tif 000010
【図５】
0005404757.tif 000011
【図６】
0005404757.tif 000012
【図７】
0005404757.tif 000013
【図８】
0005404757.tif 000014
【図９】
0005404757.tif 000015
【図１０】
0005404757.tif 000016
【図１１】
0005404757.tif 000017
【図１２】
0005404757.tif 000018